(57)【要約】無線ネットワーク内で移動装置（ＭＥ）を動作するための方法であって、該方法は、信号の質を表示するパラメータを決定する工程（Ａ）と、前記移動装置の速度または該速度の微分などの所定のパラメータの関数であるフィルタ長を有するフィルタによって移動装置内でリンクの質を計算する工程（Ｂ）と、前記無線ネットワークにリンクの質の計算された表示を報告する工程（Ｃ）とを有している。移動装置の速度表示は点対点メッセージのパディングビットによって送られることが好ましい。移動装置の速度表示は忘却係数ａを修正または置換することに使用され、該忘却係数は、平均ビットエラー確率（ＢＥＰ）またはＢＥＰの変動係数などのリンクの質の測定データに対して動作する移動平均フィルタの長さに影響をおよぼす。【選択図】図３
2004522326.tif 000002
【特許請求の範囲】
【請求項１】
無線ネットワークにおける移動装置（ＭＥ）を動作する方法であって、
前記移動装置によって経験された信号の質を示すパラメータの値を決定する工程と、
前記移動装置におけるリンクの質を計算する工程であって、当該計算が前記決定されたパラメータの関数であるフィルタ長を有するフィルタ動作を採用している工程と、
リンクの質の計算された表示を前記無線ネットワークに報告する工程
とを備えてなる方法。
【請求項２】
前記決定する工程が、
前記無線ネットワークにおける移動装置の速度表示を微分する工程と、
前記速度表示を移動装置に送信する工程
とを含んでなる請求項１記載の方法。
【請求項３】
前記送信する工程が、点対点メッセージを使用する請求項２記載の方法。
【請求項４】
前記送信する工程が、速度表示を点対点メッセージのパディングビットに設ける請求項２記載の方法。
【請求項５】
前記送信する工程が、パケット関連制御チャネル（ＰＡＣＣＨ）上で送られるメッセージを使用する請求項２記載の方法。
【請求項６】
前記送信する工程が、パケット関連制御チャネル（ＰＡＣＣＨ）上で送信されたパケットシステム識別１３（ＰＳＩ１３）メッセージに含まれて送信されたメッセージを使用する請求項２記載の方法。
【請求項７】
前記送信する工程が、パケット関連制御チャネル（ＰＡＣＣＨ）上で送信されたパケットシステム識別１３（ＰＳＩ１３）メッセージに設けられた複数のビットを使用する請求項２記載の方法。
【請求項８】
前記送信する工程が、パケット関連制御チャネル（ＰＡＣＣＨ）上で送信されたパケットシステム識別１３（ＰＳＩ１３）メッセージのパディングビットに設けられた複数のビットを使用する請求項２記載の方法。
【請求項９】
前記送信する工程が、速度範囲のうちの複数のサブレンジを表示するための複数のビットを使用する請求項２記載の方法。
【請求項１０】
前記送信する工程が、速度範囲内の１６の速度サブレンジを表示するための４つのビットを使用する請求項２記載の方法。
【請求項１１】
前記決定されたパラメータが忘却係数を修正するために使用され、該忘却係数がリンクの質の測定データについて動作するフィルタの長さに影響をおよぼす請求項１記載の方法。
【請求項１２】
前記決定されたパラメータが忘却係数を計算するために使用され、該忘却係数がリンクの質の測定データについて動作するフィルタの長さに影響をおよぼす請求項１記載の方法。
【請求項１３】
前記決定されたパラメータが忘却係数を修正するために使用され、該忘却係数が前記無線ネットワークから放送メッセージにより受け取られ、該忘却係数がリンクの質の測定データについて動作するフィルタの長さに影響をおよぼす請求項１記載の方法。
【請求項１４】
前記決定されたパラメータが忘却係数を置換するために使用され、該忘却係数が前記無線ネットワークから放送メッセージにより受け取られ、該忘却係数がリンクの質の測定データについて動作するフィルタの長さに影響をおよぼす請求項１記載の方法。
【請求項１５】
前記計算する工程が前記移動装置の速度の微分を考慮する請求項１記載の方法。
【請求項１６】
前記計算する工程が、平均ビットエラー確率（ＢＥＰ）またはビットエラー確率（ＢＥＰ）の変動係数（ＣＶ）のうちの１つの複数の測定値を操作する請求項１記載の方法。
【請求項１７】
無線ネットワークと少なくとも１つの移動装置（ＭＥ）を備えた無線通信システムであって、
前記移動装置が当該無線ネットワークのサービスセルに設けられ、
当該無線通信システムが、
前記サービスセル内で移動装置の速度表示を抽出するための前記無線ネットワーク内のユニットと、
前記移動装置の速度の表示を移動装置に送信するための前記無線ネットワーク内の送信機と、
前記送信された速度表示を受信するための前記移動装置内の受信機と、
リンクの質の測定データの列にフィルタをかけるためのフィルタリングを実行するための前記移動装置内のプロセッサ
とをさらに備え、
前記フィルタが、前記送信され受信された速度表示の関数である値を有するパラメータの関数であるフィルタ長を有し、
前記フィルタをかけられたリンクの質の測定データの表示を前記無線ネットワークの受信機に送信するための前記移動装置内の送信機
とを有する無線通信システム。
【請求項１８】
リンクの質の測定データが平均ビットエラー確率（ＢＥＰ）またはビットエラー確率（ＢＥＰ）の変動係数（ＣＶ）のうちの１つを備えてなる請求項１７記載の無線通信システム。
【請求項１９】
前記無線ネットワーク内の送信機がパケット関連制御チャネル（ＰＡＣＣＨ）上で送信されたパケットシステム識別１３（ＰＳＩ１３）メッセージのパディングビット内に設けられた複数のビットを使用することによって、移動装置の速度の表示を送信する請求項１７記載の無線通信システム。
【請求項２０】
無線ネットワークと該無線ネットワークの少なくとも１つのサービスセル内に設けられた複数の移動装置（ＭＥ）とを備えた無線通信システムを操作するための方法であって、
前記無線ネットワーク内の複数の移動装置それぞれによって経験された信号の質の表示を決定する工程、
点対点メッセージを用いて個々の移動装置に前記決定された表示を送信する工程、
前記複数の移動装置のうちの特定の１つにおいて、送信された表示を受信する工程、
リンクの質の測定データの列に対して動作するフィルタ動作に採用されるフィルタ長を設定するために前記受信された表示を使用する工程、および
前記無線ネットワークに当該フィルタ動作の結果を送信する工程
を含んでなる方法。
【発明の詳細な説明】
【０００１】
［発明の分野］
本発明は、一般的に、移動装置、たとえば、一般的に無線末端および移動局としても公知である無線電話機、携帯電話およびパーソナルコミュニケーターに関し、そしてより詳細には、移動装置用のパケットデータサービスを提供するための方法および装置に関する。
【０００２】
［発明の背景］
現代の無線電気通信システムは、移動装置の利用者のための高速パケットデータサービスを提供するために発展している。一例としては、移動装置の利用者に対するインターネットアクセスを提供する能力である。この方向に向かって急速に発展している無線システムは、全地球移動通信システム（ＧＳＭ）として公知である時分割多重アクセス（ＴＤＭＡ）システムであり、とくに、ＧＳＭ＋およびＥＧＰＲＳ（強化された一般的パッケトラジオサービス）として公知であるＧＳＭの強化版である。
【０００３】
理解されているように、無線システムにおいて高速データ通信を提供することが所望の場合に考慮すべき重要なことは、起こり得る種々の無線経路による信号障害（たとえば、フェーディングおよびノイズ）である。これらの障害の存在に適切に対処しないと、容認できないまたは好ましくない送信／受信エラー率を生じ得る。
【０００４】
より詳細には、ＥＧＰＲＳに関して、リンククオリティ（ｑｕａｌｉｔｙ）測定値（とくには、平均ビットエラー確率（ＢＥＰ）およびその変動係数（ｃｖ）（ＢＥＰ））は、ＭＥにおける一連の測定データを別々にフィルタにかけ、そののち、無線ネットワークへのアップリンク上で報告されなければならないことが最近提案された（ＥＴＳＩ  ＳＭＧ２  Ｔｄｏｃ  １０４８／９９：「ＥＧＰＲＳ  Ｌｉｎｋ  Ｑｕａｌｉｔｙ  Ｃｏｎｔｒｏｌ  Ｍｅａｓｕｒｅｍｅｎｔｓ  ａｎｄ  Ｆｉｌｔｅｒｉｎｇ」、Ｅｒｉｃｓｓｏｎ，２０−２４、１９９９年９月、Ｂｏｒｄｅａｕｘ、Ｆｒａｎｃｅ）。この文献において、移動平均指数フィルタの使用が提案された。一般的パッケトラジオサービス（ＧＰＲＳ）での忘却係数（ｆｏｒｇｅｔｔｉｎｇ  ｆａｃｔｏｒ）（または平均期間）と同様に、この移動平均指数フィルタは、サービスセルにおけるすべてのＭＥに対して放送する移動平均指数フィルタの「忘却係数（または平均期間）」によって特徴付けられる。この忘却係数は、利用可能な場合、既存のパッケト放送制御チャネル（ＰＢＣＣＨ）を用いて放送され、そうでない場合、放送制御チャネル（ＢＣＣＨ）が用いられることが提案された。本質的に、この試みは、セルベースの忘却係数を提供する。
【０００５】
そののち、文献  ＥＴＳＩ  ＳＭＧ２  Ｗｏｒｋｉｎｇ  Ｓｅｓｓｉｏｎ  ｏｎ  ＥＤＧＥ  番号１１  Ｔｄｏｃ  ２Ｅ９９−５０１：「ＥＧＰＲＳ  ＬＱＣ  Ｍｅａｓｕｒｅｍｅｎｔｓ  ｆｉｌｔｅｒｉｎｇ」、Ｎｏｋｉａ、１８−２２、１９９９年１０月、Ａｕｓｔｉｎ  ＴＸ、ＵＳＡ）において、ＧＰＲＳの規定にしたがう忘却係数によって前記参照した忘却係数が置換されることが提案された。フィルタにかけられたデータの数が、いわゆるフィルタ長以下である場合、ＥＴＳＩ  ＳＭＧ２  Ｔｄｏｃ  １０４８／９９において提案されたフィルタは、安定ではないことが指摘された。このフィルタ不安定性を防止するために、ＧＰＲＳベースの忘却係数を使用することが提案された。
【０００６】
この試みは、非固定セルベースアプローチといわれ得る。これは、ＧＳＭ  ０５．０８  ６．３．０版、１０．２．３．２章（Ｄｅｒｉｖａｔｉｏｎ  ｏｆ  Ｃｈａｎｎｅｌ  Ｑｕａｌｉｔｙ  Ｒｅｐｏｒｔ）に見出されるものと類似する。この試みにおいて、ＭＥにおける測定データの数が、フィルタ長未満の場合、忘却係数は徐々に調節され、そのフィルタ不安定性を最小化する。利用可能な場合は、ＰＢＣＣＨ上で、そうでない場合は、ＢＣＣＨ上で、パラメータを放送することもまた提案され、これは、ＭＥによって保持された測定データの量に応じて、フィルタパラメーターを算定するためにサービスセル内のＭＥによって用いられる。しかし、充分な量の測定データ（フィルタ長をこえる）を有するすべてのＭＥは、同一のフィルタパラメータを用いることになるだろう。
【０００７】
図１および２は、ＥＴＳＩ  ＳＭＧ２  Ｗｏｒｋｉｎｇ  Ｓｅｓｓｉｏｎ  ｏｎ  ＥＤＧＥ  番号１１  Ｔｄｏｃ  ２Ｅ９９−５０１文献から引用され、そして種々の提案された忘却係数を用いる重み係数を描写するグラフである。大きな忘却係数（たとえば、ａ＝０．９）に関して、ＭＥによって作成された測定値報告は、最近の少数の測定データによって支配されるが、小さな忘却因子を用いる場合、フィルタにかけられた結果は、代わりに、多数の過去の測定データに関する。ａ＝０．３の場合の例によれば、フィルタをかけられた結果は、１００以上の過去の測定ブロック（約２秒の測定データ）に対応する。
【０００８】
１つのセル内の種々のＭＥは、異なるチャネル状態／フェーディング効果（遅いフェーディング、速いフェーディングなど）を経験するかもしれないことが、ＥＴＳＩ  ＳＭＧ２  Ｗｏｒｋｉｎｇ  Ｓｅｓｓｉｏｎ  ｏｎ  ＥＤＧＥ  番号１１  Ｔｄｏｃ  ２Ｅ９９−５０１文献において指摘された。結果として、セルベース（固定または非固定）の忘却係数を用いるフィルタの実用性が、問題視された。この文献においては、とくに詳しく扱われないが、固定セルベースの忘却係数（またはＧＰＲＳのような）を用いる解決策が、必要に応じて、より最適なものと置換され得るか否かをさらに研究することは興味深いことであると指摘された。
【０００９】
要約すると、これまでに開発または提案されたシステムは、サービスセルにおいておのおのの移動装置（ＭＥ）用の固定／非固定セルベースのフィルタを用いている。しかし、これらの解決策は、セル内に存在し得るＭＥのすべてのために最適ではない。つまり、これらの解決策は、せいぜい妥協案である。なぜなら、同一のセル内の異なるＭＥが異なるチャネル条件およびフェーディング効果と遭遇し、少なくともそのいくつかは、ＭＥの速度に直接リンクされ得ることが周知であるからである。所定のサービスセル内のすべてのＭＥが同一の速度で移動することはほとんどあり得ないので、このような仮定をする任意のセルベースのフィルタは、最適でない結果の提供に終わる。
【００１０】
［発明の目的および利点］
本発明の第１の目的および利点は、前記の問題および他の問題を克服する改善されたフィルタリング手順を提供することである。
【００１１】
本発明のさらなる目的および利点は、固定または非固定のセルベース（セル内で一律）のフィルタリング技術に対して、移動装置ベースのフィルタリング技術を提供することである。
【００１２】
本発明の別の目的および利点は、移動装置が経験させられる妨害がどのように変化するかの表示、たとえば、移動装置の速度の表示を考慮してパケットデータラジオシステムにおいて使用するための移動装置ベースのフィルタリング技術を提供して、それによって、フィルタをかけられた測定データを無線ネットワークに報告する前と比較して、測定データのより最適なフィルタリングを提供することである。
【００１３】
［発明の要旨］
前記の問題および他の問題を克服し、そして本発明の目的が、本発明の実施形態にしたがう方法および装置によって実現される。
【００１４】
無線ネットワークにおいて移動装置（ＭＥ）を操作する方法を開示する。この方法は、（Ａ）ＭＥが経験させられる信号のクオリティを示すパラメーターを決定する工程（たとえば、ＭＥの速度を決定することによって）；（Ｂ）リンククオリティの表示をこのＭＥにおいて算定する工程であって、この算定は、決定されたパラメーター（たとえば、速度またはＭＥの速度の導関数）の関数であるフィルタ長を有するフィルタリング操作を使用する工程；ならびに（Ｃ）算定されたリンククオリティの表示を無線ネットワークに報告する工程を有する。このフィルタ長は、いかに多くのデータがフィルタされるかを決定する。この決定工程は、（ａ）無線ネットワークにおけるＭＥ速度の表示を導く工程；および（ｂ）ポイント間のメッセージを用いてＭＥに速度表示を伝送する工程を含む。好ましい実施形態において、この伝送工程は、ポイント間のメッセージ（たとえば、パッケト関連制御チャネル（ＰＡＣＣＨ））上で送信される）の埋め込み操作ビットにＭＥ速度表示を入れる。最も好ましい実施形態において、この伝送工程は、パッケト関連制御チャネル（ＰＡＣＣＨ）上で送信されるパケットシステム識別用１３の埋め込み操作ビットに入れられた複数のビットを用いる。この複数のビット（たとえば、４ビット）を用いて、所定のＭＥ速度範囲（たとえば、０ｋｍ／時間〜２５０ｋｍ／時間）の複数の速度細分範囲（たとえば、１６の細分範囲）をエンコードする。
【００１５】
本発明の現在好ましい実施形態において、ＭＥ速度の表示を用いて、無線ネットワークから放送メッセージに受信されたパラメータ情報によってＭＥ中で算定される忘却係数「ａ」を変更するか、または受信された忘却係数を置換する。好ましい実施形態において、この忘却係数は、リンククオリティ測定データに作用するフィルタ（たとえば、移動平均フィルタ）の長さを直接妨害する。例示的な実施形態において、移動平均フィルタは、一連のリンククオリティ（たとえば、平均ビットエラー確率またはビットエラー確率の変数係数（ｃｖ）（ＢＥＰ））の測定値に作用する。本発明の他の実施形態において、フィルタ長は、直接調整され得るか、または忘却係数「ａ」以外のいくつかのパラメーターを用いることによって変更され得る。
【００１６】
［発明の詳細な説明］
本発明は、静止した（移動していない）ＭＥは、移動するＭＥによっては経験されないある安定なチャネル状態を経験するが、代表的な都市環境において、３ｋｍ／時間の速度で移動するＭＥは、５０ｋｍ／時間の速度で移動するＭＥとは異なるフェーディング効果を経験することが充分に起こるという、本発明者らによる認識から生じる。この知識に基づいて、本発明者らは、フィルタ算定にＭＥの速度を組み込むことによって測定データのフィルタリング問題に対するより最適な解決策を提供した。より詳細には、第１の、低速で移動する特定のＭＥに関しては、その測定値は、好ましくは、長時間にわたってフィルタをかけられる（すなわち、忘却係数は小さくされる）。一方、第２の高速で移動するＭＥに関してよりもチャネル状態は、安定ではなく、そしてその測定データは、好ましくはより短い間隔でフィルタをかけられる（すなわち、忘却係数は大きくされる）。ＭＥベースのフィルタリング方法を向上させるために、本発明者らは、技術を提供する。ここで、フィルタパラメータ（この場合、忘却係数）を定義する場合、ＭＥの速度が考慮される。概して、その結果は、フィルタの長さを変化させ、そして忘却係数「ａ」は、この場合、フィルタ長が変化されることを意味する。他の実施形態において、フィルタの長さは、直接調整され得るか、または忘却係数「ａ」以外のいくつかのパラメーターを用いることによって変化され得る。
【００１７】
これは、フィルタリング技術を向上させ、したがって、異なるＭＥ間の任意の異なる速度を無視し、それ故、ＭＥによって経験させられる任意の異なるチャネル状態を無視し、結果として、１つのフィルタリング係数がサービスセル内のＭＥのすべてのために使用される場合に生じる問題を克服する。
【００１８】
しかし、最初に、本発明の技術は、ＭＥ速度の使用のみに制限されないことに留意するべきである。なぜなら、ＭＥ１０によって経験させられるシグナルクオリティを示す１つ以上の他のパラメータが、同様に使用され得るからである。例として、そのＭＥ１０によって経験させられる全体としてのシグナルクオリティは、ＭＥ１０の速度に加えて、パス損失、マルチパススプレッド、送信者および受信者の障害に起因する信号の歪、および／または妨害によって影響され得る。
【００１９】
ＭＥ速度の使用が、ここでは、好ましい。なぜなら、容易に決定または算定され得、そしてＭＥ１０によって経験させられるシグナルクオリティの変化と充分に相関し得るからである。しかし、このＭＥ速度の使用は、無線ネットワークへのアップリンクに測定データを報告する前の、一連の測定データのフィルタリング用のフィルタ長を確立しつつあるＭＥによって用いるための目的のフィルタリングパラメータを導くことにおける本発明の実施に対する限定として解釈されるべきではない。
【００２０】
最初に図３を参照すると、無線ネットワーク１２のセル内に位置される移動装置（ＭＥ）１０の単純化したブロック図を示す。このＭＥ１０および無線ネットワーク１２は本発明のための実施形態として適切であるが、これに限定されるものではない。このＭＥ１０は、送信およびそののちの受信の前に、ＭＥ１０の全体としての操作を制御するため、およびシグナルを処理するために用いられるコントローラ１４（たとえば、マイクロプロセッサおよびデジタルシグナルプロセッサ（ＤＳＰ）の組み合わせ）を含む。本発明の目的に関して、コントローラ１４は、以下にさらに詳細に記載されるように、必要な測定データを得るため、および測定データフィルタリング操作を実行するために適切にプログラムされることが仮定される。メモリ１６は、双方向的にコントローラ１４に連結され、そしてとくに、過去の測定結果またはデータ１６Ａならびに好ましい実施形態において、本発明の局面にしたがって無線ネットワーク１２から受信されるＭＳ速度パラメータ（ＭＥ ＳＰＥＥＤ）１６Ｂを保存する。フィルタをかけられた測定データは、無線トランシーバ１８のトランスミッタ１８Ａおよびアンテナ２０を通じて無線ネットワーク１２に報告される。そしてＭＥ ＳＰＥＥＤパラメータは、トランシーバ１８のアンテナ２０および受信機１８Ｂを通じて受信される。パケットデータおよび他のデータ（たとえば、音声データ（ＭＥ１０が音声能力を含む場合））およびシグナリングデータはまた、トランシーバ１８を通じて送る。
【００２１】
無線ネットワーク１２は、アンテナ２４を有する少なくとも１つのベーストランシーバステーション（ＢＥＴ）２２を含む。アンテナ２４は、ＭＥ１０が位置されると仮定されるサービスセルの中心を規定し得るが、指向性ＢＴＳアンテナも同様に使用され得る。ＧＳＭシステムにおいて、このサービスセルは、たとえば、３５ｋｍまでの半径を有する。ベースステーションコントローラ（ＢＳＣ）２６はＢＴＳ２２に連結され、つぎに、移動交換局（ＭＳＣ）２８または電話中継のためのいくつかの他の適切なインターフェース（たとえば、公衆交換電話ネットワーク（ＰＳＴＮ））および／あるいは１つ以上のパケットデータネットワーク３０に連結される。このパケットデータネットワーク３０としては、インターネットがあげられ、そしてＴＣＰ／ＩＰプロトコルを用いて操作され得る。他の型のパケットデータネットワーク（たとえば、インターネット）もまた、提供され得る。
【００２２】
本発明の目的のために、無線ネットワーク１２のいくつかの構成要素（たとえば、ＢＳＣ２６のプロセッサ）が、ＭＥ１０の速度を評価、およびＭＥ ＳＰＥＥＤパラメータを用いて評価された速度を報告することができると仮定される。このＭＥ速度は、任意の適切な技術または技術の組み合わせ（たとえば、ＭＥ１０によって送信されたＲＦキャリアシグナルのドップラー周波数シフトを決定し、ついで、このＭＥ１０の速度とこのドップラー周波数シフトとを相関させることによる）を用いて評価される。このＭＥ１０によってそれ自体が有する速度を決定することもまた本発明の範囲内であるが、ＭＥにおいて追加の処理が必要である。
【００２３】
このＭＥ１０の速度の表示は、フィルタリング以外の目的（たとえば、ネットワークベースのセルの再選択）のためにも同様に用いられ得る。この場合、このネットワークは、このＭＥ１０の速度を知っている。このように、このＭＥ１０は、それ自体が有する速度を決定すること、および本明細書中に記載のようにフィルタリング関連情報を処理するための自己決定速度表示を用いることができるが、無線ネットワーク１２は、ＭＥ速度を決定し、そののち、ＭＥ１０の決定されたＭＥ速度を通知することが好ましい。これはまた、ネットワーク１２が、正確にどのようにその測定値が処理されるかという知識を有するという利点を有する。
【００２４】
メモリ１６はまた、測定データをフィルタリングする場合、ＭＥ１０によって用いられるフィルタ１６Ｃを示すデータを保存する。用いることが提案される一般的な移動平均フィルタは、以下のように表わされ得る：
すなわち、Ｙｎ＝ａＣｎ＋（１−ａ）Ｙｎ−１
ただしＣ０＝０、または
【数１】
2004522326.tif 000003
ただし、Ｃ０＝０
ここで、Ｃｎは、ＭＥ１０における時刻ｎでの測定データ（すなわち、平均（ＢＥＰ）またはｃｖ（ＢＥＰ））である；Ｙｎは、フィルタをかけられた測定データ（実際には、過去の測定データの加重平均）を示し、そして「ａ」は、忘却係数である。前記のように、大きな値の「ａ」に関して、フィルタをかけられた測定データＹｎは、最近のわずかな測定データによって支配されるが、これに対して、小さな値の「ａ」に関して、Ｙｎは、代わりに、多数の過去の測定データに関する。フィルタ１６Ｃは、測定データの加重平均として機能することに留意され得る。ａ∈［０；１］であることにさらに、留意されなければならない。
【００２５】
本発明の方法によれば、かつ図４もまた参照すると、工程Ａは、ＭＥ１０によって経験させられた全体としてのシグナルクオリティを表示するパラメータの値を、たとえば、ＢＳＣ２６によって決定する。前記のように、このＭＥ１０によって経験させられた全体としてのシグナルクオリティは、たとえば、パス損失、マルチパススプレッド、ＭＥ１０の速度、送信者および受信者の妨害に起因するシグナルの歪、および／または妨害によって影響され得る。好ましい実施形態において、このパラメータは、ＭＥ１０の速度であるが、この速度の使用は、本発明の実施を限定しない。工程Ｂでは、このＭＥ速度、またはＭＥ速度の導関数は、好ましくは、放送型のシグナリングメッセージとは対照的に、ポイント間のシグナリングメッセージを用いてＭＥ１０に報告される（たとえば、ＰＢＣＣＨ上で送信される）。ある適切なメッセージ型は、パケット関連制御チャネル（ＰＡＣＣＨ）であり、これは、パケット通信モードにおいて特定のＭＥ１０に対してアドレス指定される。この速度は、ＭＥ ＳＰＥＥＤパラメータを用いてＭＥ１０に報告される。
【００２６】
好ましくは、後半の、ＭＥ ＳＰＥＥＤパラメータを用い得ないＭＥ１０の既存の集団との互換性を達成するために、ＭＥ ＳＰＥＥＤパラメータは、ＰＡＣＣＨ上で送信されるパケットシステム情報１３（ＰＳＩ１３）情報エレメントに挿入され得る。ここで、異なるパラメータ（たとえば、ＧＰＲＳにおける測定のために用いられる）もまた送信される。ＰＳＩ１３の現在の構造は、仕様書ＧＳＭ  ４．６０において見出され得る。ＰＢＣＣＨがセルにおいて存在する場合、以下の２つのエレメントを記載するための情報エレメントがＧＳＭ  ４．６０中に規定される：
＜ＰＳＩ１ ＲＥＰＥＡＴ ＰＥＲＩＯＤ：ｂｉｔ（４）＞
＜ＰＢＣＣＨ  Ｄｅｓｃｒｉｐｔｉｏｎ：＜ＰＢＣＣＨ  Ｄｅｓｃｒｉｐｔｉｏｎ  Ｓｔｒｕｃｔｕｒｅ＞＞
これらのエレメントは、＜埋め込み操作ビット＞に続く。後の互換性を達成するために＜埋め込み操作ビット＞にＭＥ ＳＰＥＥＤパラメータを入れることが好ましい。なぜなら、ＭＥ ＳＰＥＥＤパラメータを用いないＭＥ１０は、埋め込み操作ビットを無視するが、これに対して、ＭＥ ＳＰＥＥＤ使用可能ＭＥは、予期されるＭＥ ＳＰＥＥＤパラメータを位置するのに、これらの埋め込み操作ビットを解析するためにプログラムされるためである。ここでは、ＭＥ ＳＰＥＥＤ（送信されるＭＥ ＳＰＥＥＤの使用可能な１６個の異なる値）を示すのに４つのビットを用いるのが好ましい。４つより多いかまたは少ないビットは、ＭＥ速度の所望の分解能およびＭＥ ＳＰＥＥＤパラメータの決定の正確性に依存して用いられ得る。スピードの範囲は、０ｋｍ／時間〜２５０ｋｍ／時間で得あることが、ここでは好ましいが、これに限定されない。したがって、４つのビットの使用は、この速度範囲を１６の細分範囲に分類する。無線ネットワーク１２は、ＰＡＣＣＨ上で送信される新規のメッセージを単にスケジューリングすることによってＭＥ ＳＰＥＥＤに更新情報を送信し得る。
【００２７】
図４の工程Ｃでは、ＭＥ ＳＰＥＥＤパラメータの受信に対して、ＭＥコントローラ１４は、忘却係数「ａ」の値を調整し得る。たとえば、放送メッセージにおいて受信されたパラメーターに基づいてＭＥ１０において算定された規定の「ａ」値は、ＭＥ ＳＰＥＥＤの値の関数として規定の「ａ」値を加重または調整することによってこの値以上または以下に精密化され得る。一般的には、大きい値の「ａ」は、高速（減少したフィルタ長）で最近のわずかな測定データによって支配されるＹｎを生じるが、これに対して、小さい値の「ａ」は、代わりに低速（増加したフィルタ長）で多数の過去の測定データを示すＹｎを生じる。あるいは、「ａ」の値は、ＭＥ ＳＰＥＥＤの関数として算定され得、そして、放送メッセージにおいて受信された「ａ」を算定するために用いられる規定値のパラメータは、無視され得る。新規の値のＭＥ ＳＰＥＥＤ（すなわち、ＭＥ ＳＰＥＥＤの最後に受信された値とは異なるＭＥ ＳＰＥＥＤ）が受信された場合、ＭＥ１０は、受信された忘却係数「ａ」を用いて以前に算定されたＹｎ値を調整し得るか、または、その以前に算定された値は無視し、そしてＹｎが、その受信された忘却係数「ａ」を用いて再算定され得る。ついで、ＭＥ１０は、たとえば、変更または置換された忘却係数「ａ」と共に前記の式を用いてそのフィルタをかけられた測定結果を算定する。
【００２８】
工程Ｄでは、ＭＥ１０は、無線ネットワークによって実行されるパケットデータ慣用法において用いるために算定された（より正確な）Ｙｎ値を無線ネットワーク１２に報告する。
【００２９】
この手順は、任意であり、そして放送アプローチに相補的であることに留意しなければならない。ここで、忘却係数「ａ」を算定するのに用いられるパラメータ値は、サービスセルにおいてＭＥ１０のすべてに送信される。すなわち、異なるＭＥのためのＭＥ ＳＰＥＥＤの値を決定し、ついで、その値を、それらのＭＥの特定の１つに送信することを、無線ネットワークに要求する必要はない。
【００３０】
実際には、本発明の技術は、少なくとも２つの異なる方法のうち１つにおいて用いられ得る。第１に、受信されたＭＥ ＳＰＥＥＤ値は、放送された一般的なパラメータを用いて算定される「ａ」の値を補正または精密にするためにＭＥ１０によって用いられ得る。あるいは、値「ａ」を算定するために用いられるその放送パラメータは、単に破棄され、そしてＭＥ ＳＰＥＥＤの値が、忘却係数「ａ」の現在の値を算定するのに用いられ得る。
【００３１】
本発明の文脈において記載されたシグナリングは、正確に同一の方法でＧＰＲＳシステムおよびＥＧＰＲＳシステムにおいて実施され得る。
【００３２】
ＭＥ ＳＰＥＥＤパラメータのための他の使用（たとえば、パワーコントロールおよび引渡しの目的のための使用）は、ＭＥ１０に存在し得る。さらに、本発明の技術によって可能であるリンククオリティ（ＬＱ）チャネル測定のためのＭＥベースの最適化フィルタリング法は、実時間のＥＧＰＲＳにおいていくつかの目的（たとえば、サービスのいくつかの所定のクオリティ（ＱｏＳ）をいくつかの変調にマッピングするため、または計画（たとえば、スピーチ用、ストリーミングビデオ用など）をコードするために）のために用いられ得る。
【００３３】
指定数のビット、指定速度範囲、指定メッセージ形式などの文脈において前記で記載されているが、これらは、本発明のここで好ましい実施形態の例示であると認識すべきであり、かつ本発明の実施に対する意味の限定において読まれるまたは解釈されることは意図されていない。概して、本発明の技術は、サービスセル内のＭＥ１０の速度を考慮することによって、および／またはいくつかの他のＭＥシグナルクオリティ影響係数を考慮することによってリンククオリティの任意のＭＥベースの決定を、修正または精密化するために利用され得る。
【００３４】
したがって、本発明は、本発明の好ましい実施形態に関してとくに示され、かつ記載されてきたが、形態および詳細の変更は、本発明の範囲および精神から逸脱することなく本発明内でなされ得ることは当業者によって理解される。
【図面の簡単な説明】
本発明の前記の特徴および他の特徴ならびに利点は、添付の図面と組み合わせて読むと前記の発明の詳細な説明においてより明らかにされる。
【図１】
図１は、種々の忘却係数を用いる重み係数を描写するグラフである。
【図２】
図２は、種々の忘却係数を用いる重み係数を描写するグラフである。
【図３】
図３は、本発明の実施に適切な無線ネットワークのセル内に位置される移動装置のブロック図である。
【図４】
図４は、本発明の教示に一致する方法を例示する理論的な流れ図である。
【図１】
2004522326.tif 000004
【図２】
2004522326.tif 000005
【図３】
2004522326.tif 000006
【図４】
2004522326.tif 000007
【国際公開パンフレット】
2004522326.tif 000008
2004522326.tif 000009
2004522326.tif 000010
2004522326.tif 000011
2004522326.tif 000012
2004522326.tif 000013
2004522326.tif 000014
2004522326.tif 000015
2004522326.tif 000016
2004522326.tif 000017
2004522326.tif 000018
2004522326.tif 000019
2004522326.tif 000020
2004522326.tif 000021
2004522326.tif 000022
2004522326.tif 000023
2004522326.tif 000024
2004522326.tif 000025
2004522326.tif 000026
2004522326.tif 000027
2004522326.tif 000028
【国際調査報告】
2004522326.tif 000029
2004522326.tif 000030
2004522326.tif 000031